(57)【特許請求の範囲】
【請求項１】
箱体に収納され、商品を前記箱体の内部に保持する収納体であって、前記商品が載置される底板と、前記底板に載置された商品の第１の側面及びこれに対向する第２の側面にそれぞれ当接する第１及び第２の位置決め壁と、前記第１及び第２の位置決め壁よりそれぞれ導出された第１及び第２の係止部と、それぞれ前記第１及び第２の係止部と係合可能な第１及び第２の被係止部とを備え、前記第１の係止部と前記第１の被係止部とが係合するとともに前記第２の係止部と前記第２の被係止部とが係合することにより、前記底板、前記第１の位置決め壁及び前記第１の係止部がＺ字状に折り曲げられるとともに、前記底板、前記第２の位置決め壁及び前記第２の係止部がＺ字状に折り曲げられることを特徴とする収納体。
【発明の詳細な説明】
【０００１】
【発明の属する技術分野】
本発明は、収納体に関し、さらに詳細には、商品の脱落が確実に防止された収納体に関する。
【０００２】
【従来の技術】
従来より、ＰＣカードやＣＤ−ＲＯＭ等の商品の流通過程においては、外部の衝撃から商品を保護したり商品の汚損を防止する等の目的で、これら商品が所定の包装部材に収容された状態で輸送され、販売されることが一般的である。このような包装部材としては、商品を所定の位置に保持ないしは位置決めする収納体と、収納体を収容する箱体（ケース）とが用いられることが多い。
【０００３】
収納体と箱体とを用いた包装部材の例としては、特開平１０−１０１０６０号公報に記載されている。同公報に記載された包装部材は、ジグザグ状に折り曲げられた収納体と、かかる収納体を収容する箱状の外装部材からなり、ジグザグ状の収納体の略中央部分には、商品が収容される切り欠き部が備えられている。
【０００４】
また、他の例としては、実用新案登録第３０５４３０６号公報に記載されている包装部材がある。同公報に記載された包装部材は、商品の収容部を有する収納体と、かかる収納体を収容する箱状の外装部材からなり、かかる収納体の商品収納部には、商品を外装部材へ押し当てるフラップが備えられている。
【０００５】
【発明が解決しようとする課題】
しかしながら、上記各公報に記載された包装部材においては、収納体が箱体の内部に収容されている状態においては、商品が所定の位置に保持されるものの、箱体から収納体を取り出すと、収納体に保持された商品が容易に脱落してしまうという問題があった。このため、需要者が箱体から商品を取り出す際に、商品を落下させ、破損しまうおそれがあるばかりでなく、供給者側においても、商品が保持された収納体を箱体に収容する際に、商品が脱落しないように留意しながら作業する必要が生じ、作業効率を悪化させる要因となっていた。
【０００６】
したがって、本発明の目的は、商品の脱落が確実に防止された収納体を提供することである。
【０００７】
【課題を解決するための手段】
【００１８】
本発明の前記目的はまた、箱体に収納され、商品を前記箱体の内部に保持する収納体であって、前記商品が載置される底板と、前記底板に載置された商品の第１の側面及びこれに対向する第２の側面にそれぞれ当接する第１及び第２の位置決め壁と、前記第１及び第２の位置決め壁よりそれぞれ導出された第１及び第２の係止部と、それぞれ前記第１及び第２の係止部と係合可能な第１及び第２の被係止部とを備え、前記第１の係止部と前記第１の被係止部とが係合するとともに前記第２の係止部と前記第２の被係止部とが係合することにより、前記底板、前記第１の位置決め壁及び前記第１の係止部がＺ字状に折り曲げられるとともに、前記底板、前記第２の位置決め壁及び前記第２の係止部がＺ字状に折り曲げられることを特徴とする収納体によって達成される。
【００１９】
本発明によれば、第１の係止部と第１の被係止部とが係合し、第２の係止部と第２の被係止部とが係合すると、底板、第１の位置決め壁及び第１の係止部がＺ字状に折り曲げられ、さらに、底板、第２の位置決め壁及び第２の係止部がＺ字状に折り曲げられることから、収納体を箱体から取り出した場合であっても、商品の脱落が確実に防止される。これにより、需要者が箱体から収納体を取り出す際に、商品を落下させるおそれがなくなり、また、供給者側においても、商品が保持された収納体を箱体に収容する際に、収納体から商品が脱落しないように留意する必要性が少なくなり、作業効率を向上させることが可能となる。
【００２０】
本発明の好ましい実施態様においては、Ｚ字状に折り曲げられた前記第１の位置決め壁及び前記第１の係止部の境界と、Ｚ字状に折り曲げられた前記第２の位置決め壁及び前記第２の係止部の境界との距離が、前記商品の前記第１の側面から前記第２の側面までの距離よりも短い。
【００２１】
本発明のさらに好ましい実施態様においては、前記商品の第３の側面及びこれに対向する第４の側面にそれぞれ当接する第３及び第４の位置決め壁と、前記第３及び第４の位置決め壁と前記底板との角度を所定の角度に保持する手段をさらに備える。
【００２２】
【発明の実施の形態】
以下、添付図面を参照しながら、本発明の好ましい実施態様について詳細に説明する。
【００２３】
図１は、本発明の好ましい実施態様にかかる収納体１が用いられた包装部材２を概略的に示す分解斜視図である。
【００２４】
図１に示されるように、本実施態様にかかる収納体１は、箱体３の内部に収容されて包装部材２を構成し、商品４が収納される商品収納部材５と、商品収納部材５を保持する外枠６によって構成される。特に限定されないが、本実施態様においては、商品４はＰＣカードであり、その外形は、図１に示されるように各辺がａ×ｂ×ｃの略板状である。
【００２５】
収納体１を構成する商品収納部材５は、図１に示されるように、略板状の商品４を包み込む商品収納部７と、商品収納部７から両側に導出された一対の第１の突片８と、一対の第１の突片８からそれぞれ導出され、下方に折り曲げられた第２の突片９と、商品収納部７を構成する底板の略中央部に形成された開口１０とを備える。詳細は後述するが、商品収納部材５は、一枚の板材によって構成される。
【００２６】
収納体１を構成する外枠６は、図１に示されるように、主面部１１と、主面部１１から両側に導出され、下方に折り曲げられた一対の耳部１２と、主面部１１に形成され、商品収納部材５の商品収納部７が収納される開口１３と、主面部１１と耳部１２との境界の折り曲げ部に形成され、第２の突片９が挿入される一対の挿入口１４とを備える。これにより、外枠６は、挿入口形成部材を構成する。詳細は後述するが、外枠６も、一枚の板材によって構成される。
【００２７】
収納体１が収容される箱体３は、その厚みｘが外枠６の耳部１２の高さ（折り曲げ部から耳部１２の端部までの距離）に対応し、その幅ｙが外枠６の主面部１１の幅（一方の折り曲げ部から他方の折り曲げ部までの距離）に対応し、その長さｚが外枠６の主面部１１の長さ（幅を規定する方向と直交する方向における距離）に対応している。さらに、箱体３には、収納体１が収容された場合の商品４に対応する位置に窓部１５が形成されている。窓部１５はプラスチックフィルム等の透明フィルムによって覆われ、これによって外部から商品４を視認することができるとともに、商品４の汚損等が防止されている。
【００２８】
さらに、箱体３に収納体１が収容された場合に、外枠６の主面部１１及び耳部１２によって形成される空間には、マニュアルやＣＤ−ＲＯＭ等の付属品１６が収納される。
【００２９】
図２は、商品収納部材５の展開図である。
【００３０】
図２に示されるように、商品収納部材５は、商品４の底面を保持する底板１７と、底板１７の外側に位置する二対の位置決め壁１８−１、１８−２と、一対の位置決め壁１８−１の外側に位置する一対の第１の突片８と、第１の突片８の外側に位置する一対の第２の突片９とを備える一枚の板材によって構成される。特に限定されないが、商品収納部材５を構成する板材の材料としては、厚紙を用いることが好ましい。
【００３１】
また、底板１７の略中央部には、上述のとおり開口１０が形成されており、さらに、底板１７の角部に相当する部分にはそれぞれ切り欠き１９が形成されている。
【００３２】
このような構成からなる板材は、底板１７と位置決め壁１８−１及び１８−２との境界において谷折りされ、位置決め壁１８−１と第１の突片８との境界において山折りされ、さらに、第１の突片８と第２の突片９との境界において山折りされることによって商品収納部材５が構成される。この場合、底板１７及び４つの位置決め壁１８−１及び１８−２によって上述した商品収納部７が構成される。尚、底板１７の角部に相当する部分にはそれぞれ切り欠き１９が形成されていることから、底板１７と位置決め壁１８−１及び１８−２との境界における折り曲げは、困難なく行うことができる。
【００３３】
ここで、図２に示されるように、底板１７の長さ（位置決め壁１８−２間の距離）をｄと定義し、底板１７の幅（位置決め壁１８−１間の距離）をｅと定義し、位置決め壁１８−１の高さ（底板１７から第１の突片８まで距離）及び位置決め壁１８−２の高さ（底板１７から位置決め壁１８−２の端面まで距離）をｆと定義し、第１の突片８の長さ（位置決め壁１８−１から第２の突片９までの距離）をｇと定義する。本実施態様においては、
ａ＜ｄ，ｂ＜ｅ，ｃ＜ｆ
である。これにより、商品収納部７に商品４が収納可能であることが分かる。
【００３４】
図３は、外枠６の展開図である。
【００３５】
図３に示されるように、外枠６は、主面部１１及び耳部１２からなる一枚の板材によって構成される。特に限定されないが、外枠６を構成する板材の材料としては、商品収納部材５を構成する材料よりも強い強度を有する材料、例えば段ボール紙を用いることが好ましい。
【００３６】
また、主面部１１の所定の位置には、上述のとおり開口１３が形成されており、さらに、主面部１１と耳部１２の境界部分には一対の挿入口１４が形成されている。このような構成からなる板材は、主面部１１と耳部１２との境界において山折りされることによって外枠６が構成される。
【００３７】
ここで、図３に示されるように、開口１３の長さ（耳部１２が形成されない側における一辺の長さ）をｈと定義し、開口１３の幅（耳部１２が形成された側における一辺の長さ）をｉと定義し、開口１３から挿入口１４まで距離をｊと定義する。本実施態様においては、
ｄ＜ｈ，ｅ＜ｉ，ｇ＞ｊ
但し、
ｅ＋ｇ＞ｉ＋ｊ
である。これにより、開口１３に商品収納部材５の商品収納部７が収納可能であることが分かる。
【００３８】
図４は、商品４が商品収納部７に保持された状態を示す収納体１の略平面である。また、図５は、図４のＡ−Ａ断面図であり、図６は、図４のＢ−Ｂ断面図である。
【００３９】
上述のとおり、ｅ＋ｇ＞ｉ＋ｊであることから、第２の突片９が挿入口１４に挿入されることによって商品収納部材５と外枠６とが結合すると、図５に示されるように、商品収納部材５の底板１７、位置決め壁１８−１及び第１の突片８は、Ｚ字状となる。これにより、位置決め壁１８−１と第１の突片８との境界である山折り部２０は鋭角となり、山折り部２０間の距離ｋは、
ｂ＞ｋ
となる。このため、商品４は、２つの位置決め壁１８−１によって挟み込まれた状態となる。
【００４０】
さらに、位置決め壁１８−１と位置決め壁１８−２とが同じ高さを有していることから、図６に示されるように、位置決め壁１８−２の端部は、外枠６の主面部１１よりも実質的に上方に位置することとなる。このため、位置決め壁１８−２が主面部１１を越えて倒れることはない。
【００４１】
以上より、商品４が商品収納部７に収納され、商品収納部材５と外枠６とが結合された状態においては、商品４の２辺は商品収納部７内において位置決め壁１８−１によって挟み込まれるとともに、他の２辺は位置決め壁１８−２に覆われる状態となることから、商品４が脱落することはない。
【００４２】
尚、商品収納部７に収納された商品４を取り出す際には、底板１７に形成された開口１０より商品４を押し出すか、第２の突片９を挿入口１４から外し、商品収納部材５と外枠６とを分離すればよい。
【００４３】
図７は、商品４を保持している収納体１が、箱体３に挿入された状態を示す略断面図である。
【００４４】
図７に示されるように、上記構成を有する収納体１が箱体３に収容されると、箱体３内には非常に広い空間が形成されることから、多くの付属品１６を収容することが可能である。また、外枠６の耳部１２が、箱体３の厚み方向における補強部材としての役割を果たすことから、箱体３の強度が高められる。
【００４５】
このように、本実施態様による収納体１によれば、箱体３から取り出した場合であっても、収納体１に保持された商品４の脱落が確実に防止することができる。しかも、本実施態様による収納体１を構成する外枠６が、箱体３の補強部材としての役割も果たすことから、箱体３自体の強度を高めることなく、包装部材２全体の強度を大幅に高めることが可能となる。さらに、本実施態様による収納体１を用いれば、箱体３の内部に非常に広い空間を形成できることから、箱体３の内部に多くの付属品１６を収容させることが可能となる。
【００４６】
次に、本発明の好ましい他の実施態様について説明する。
【００４７】
図８は、本発明の好ましい他の実施態様にかかる収納体３０を示す略斜視図であり、図９は、収納体３０の展開図である。
【００４８】
本実施態様においても、保持されるべき商品４はＰＣカードであり、その外形は、各辺がａ×ｂ×ｃの略板状であるものとする。
【００４９】
図９に示されるように、本実施態様にかかる収納体３０は、商品４の底面を保持する底板３１と、底板３１の外側に位置する二対の位置決め壁３２−１、３２−２と、一対の位置決め壁３２−１の外側に位置する一対の第１の主面部３３−１と、一対の位置決め壁３２−２の外側に位置する一対の第２の主面部３３−２と、第１の主面部３３−１の外側に位置する一対の耳部３４と、第２の主面部３３−２に形成された突片３５とを備える一枚の板材によって構成される。特に限定されないが、収納体３０を構成する板材の材料としては、板紙を用いることが好ましい。
【００５０】
また、第１の主面部３３−１には、それぞれ２つの挿入口３６が形成され、また、図９に示す所定の位置には、切り込み３７が形成されている。
【００５１】
このような構成からなる板材は、底板３１と位置決め壁３２−１及び３２−２との境界において谷折りされ、位置決め壁３２−１と第１の主面部３３−１との境界において山折りされ、位置決め壁３２−２と第２の主面部３３−２との境界において山折りされ、第１の主面部３３−１と耳部３４との境界において山折りされ、さらに、４つの突片３５がそれぞれ対応する挿入口３６に挿入されることによって、図８に示されるような収納体３０が構成される。
【００５２】
ここで、図９に示されるように、底板３１の長さ（位置決め壁３２−２間の距離）をｍと定義し、底板３１の幅（位置決め壁３２−１間の距離）をｎと定義し、位置決め壁３２−１の高さ（底板３１から第１の主面部３３−１まで距離）及び位置決め壁３２−２の高さ（底板３１から第２の主面部３３−２まで距離）をｐと定義する。本実施態様においては、
ａ＜ｍ，ｂ＜ｎ，ｃ＜ｐ
である。これにより、収納体３０に商品４が収納可能であることが分かる。
【００５３】
図１０は、収納体３０に商品４が保持された状態における、図８のＣ−Ｃ断面図である。
【００５４】
第２の主面部３３−２に設けられた４つの突片３５が、それぞれ対応する開口３６に挿入されることによって収納体３０が組み立てられると、図１０に示されるように、底板３１、位置決め壁３２−２及び第２の主面部３３−２は、Ｚ字状となる。これにより、位置決め壁３２−２と第２の主面部３３−２との境界である山折り部３８は鋭角となり、山折り部３８間の距離ｒは、
ａ＞ｒ
となる。このため、商品４は、２つの位置決め壁３２−２によって挟み込まれた状態となる。
【００５５】
さらに、４つの突片３５が、それぞれ対応する挿入口３６に挿入された状態においては、収納体３０は立体的にその形状が保持されるため、位置決め壁３２−１が倒れることはない。
【００５６】
以上より、商品４が収納体３０に保持された状態においては、商品４の２辺は位置決め壁３２−２によって挟み込まれるとともに、他の２辺は位置決め壁３２−１に覆われる状態となることから、商品４が脱落することはない。
【００５７】
このような構成を有する収納体３０は、上記実施態様と同様、箱体３に収容されて包装部材を構成する。この場合も、箱体３の内部には非常に広い空間が形成されることから、多くの付属品１６を収容することが可能である。また、収納体３０の耳部３４が、箱体３の厚み方向における補強部材としての役割を果たすことから、包装部材全体の強度が高められる。
【００５８】
このように、本実施態様による収納体３０によれば、上記実施態様における効果に加え、１枚の板状部材によって収納体３０を構成していることから、包装部材全体の製造コストを削減することが可能となる。
【００５９】
本発明は、以上の実施態様に限定されることなく、特許請求の範囲に記載された発明の範囲内で種々の変更が可能であり、それらも本発明の範囲内に包含されるものであることはいうまでもない。
【００６０】
例えば、上記実施態様にかかる収納体１においては、位置決め壁１８−１と位置決め壁１８−２の高さを同じに設定しているが、これらの高さは互いに同じである必要はない。この場合、位置決め壁１８−２の高さを位置決め壁１８−１の高さよりも低く設定する場合には、外枠６を構成する板材の厚みを考慮して、当該位置決め壁１８−２が主面部１１を越えて倒れるの防止できる高さ以上に設定することが好ましい。
【００６１】
また、上記実施態様にかかる収納体１においては、底板１７の幅ｅを開口１３の幅ｉよりも小さく設定しているが、商品収納部材５を構成する板材の弾性及び外枠６を構成する板材の弾性を考慮して、底板１７の幅ｅと開口１３の幅ｉとを実質的に等しく設定しても構わない。このように設定すれば、商品収納部７に収容された商品４の脱落は、より効果的に防止される。
【００６２】
【発明の効果】
以上説明したように、本発明によれば、商品の脱落が確実に防止された収納体を提供することができる。
【図面の簡単な説明】
【図１】本発明の好ましい実施態様にかかる収納体１が用いられた包装部材２を概略的に示す分解斜視図である。
【図２】商品収納部材５の展開図である。
【図３】外枠６の展開図である。
【図４】商品４が商品収納部７に保持された状態を示す収納体１の略平面である。
【図５】図４のＡ−Ａ断面図である。
【図６】図４のＢ−Ｂ断面図である。
【図７】商品４を保持している収納体１が、箱体３に挿入された状態を示す略断面図である。
【図８】本発明の好ましい他の実施態様にかかる収納体３０を示す略斜視図である。
【図９】収納体３０の展開図である。
【図１０】収納体３０に商品４が保持された状態における、図８のＣ−Ｃ断面図である。
【符号の説明】
１  収納体
２  包装部材
３  箱体
４  商品
５  商品収納部材
６  外枠
７  商品収納部
８  第１の突片
９  第２の突片
１０，１３  開口
１１  主面部
１２  耳部
１４  挿入口
１５  窓部
１６  付属品
１７  底板
１８−１、１８−２  位置決め壁
１９  切り欠き
２０  山折り部
３０  収納体
３１  底板
３２−１、３２−２  位置決め壁
３３−１，３３−２  主面部
３４  耳部
３５  突片
３６  挿入口
３７  切り込み
３８  山折り部
【図１】
0003650584.tif 000002
【図２】
0003650584.tif 000003
【図３】
0003650584.tif 000004
【図４】
0003650584.tif 000005
【図５】
0003650584.tif 000006
【図６】
0003650584.tif 000007
【図７】
0003650584.tif 000008
【図８】
0003650584.tif 000009
【図９】
0003650584.tif 000010
【図１０】
0003650584.tif 000011